【事件の表示】
　特願２００８−５０３６３９「受信コイルユニットとリモート信号処理ユニットとの間のＭＲ信号のＡ／Ｄ変換のためのスキャン室インタフェースを有するＭＲＩシステム」拒絶査定不服審判事件〔平成１８年１０月　５日国際公開、ＷＯ２００６／１０３５９１、平成２０年　８月２８日国内公表、特表２００８−５３４１０４〕について、次のとおり審決する。
【結　論】
　本件審判の請求は、成り立たない。
【理　由】
第１　手続の経緯　
　
　本願は、２００６年（平成１８年）３月２０日（パリ条約による優先権主張外国庁受理２００５年３月３１日、欧州特許庁）を国際出願日とする出願であって、平成２５年１月２２日付けで拒絶査定がなされ、これに対して、同年５月２３日に拒絶査定不服審判の請求がなされ、同時に手続補正がなされたものである。　
　
　その後、平成２６年６月２５日付けで、当審による拒絶理由の通知がなされ、これに対して、同年１０月８日に意見書及び手続補正書が提出された。
　
　
第２　本願発明　
　
　本願の請求項１ないし９に係る発明は、平成２６年１０月８日付けの手続補正により補正された特許請求の範囲の請求項１ないし９に記載された事項により特定されるとおりのものであり、そのうちの請求項１に係る発明（以下「本願発明」という。）は、請求項１に記載されている事項により特定される次のとおりのものである。　
　
「　検査のための身体を受け入れる検査ゾーンと、　
　前記検査ゾーンにおける磁場を生成する磁場生成手段と、　
　前記検査ゾーン内又は前記検査ゾーンの近傍に配置される受信ユニットと、　
　前記検査ゾーン内又は前記検査ゾーンの近傍に配置され、前記受信ユニットとは分離して配置されるインタフェースユニットと、　
　前記受信ユニット及び前記インタフェースユニットから離れた位置に配置される信号処理ユニットとを有し、　
　前記受信ユニットが、前記検査ゾーンに生成されるスピン共鳴信号を受信する受信機と、前記インタフェースユニットに前記スピン共鳴信号を送信する送信機と、測定パルスを送信する送信機とを有し、　
　前記インタフェースユニットが、１つの筐体内に、前記スピン共鳴信号を受信する受信機と、前記受信されるスピン共鳴信号に基づき、デジタル信号を生成するアナログデジタル変換器と、前記デジタル化された信号を前記信号処理ユニットに送信する送信機とを有し、　
　前記インタフェースユニットが更に前記筐体内に、前記信号処理ユニットからのデジタル信号が前記筐体内に備えられるデジタルアナログ変換器により変換されたアナログ信号に基づき、前記測定パルスを送信する送信機に対する無線周波数信号を生成する生成器を有する、磁気共鳴イメージングシステム。」　
　
　
第３　引用例　
　
１　当審において通知された拒絶の理由に引用され、本願の優先日前に頒布された刊行物である特表２００５−５０５３６１号公報（以下「引用例１」という。）には、次の事項が記載されている（下線は当審において付加したものである。）。　　
　
（１）「【０００４】　 
 一般的には、電源ケーブル及び制御ケーブルがＭＲ撮像区画に入れられる。ケーブルは、一般的には、撮像体積中に無線周波数（ＲＦ）外乱を導入し、周囲ＲＦ信号を受信しうるという問題を与える。最終的には、これらのＲＦ外乱は、最終画像中のイメージングアーティファクトとして明らかとなる。一般的には、これらのケーブルは、ＭＲ装置によって発生される無線周波数の場との干渉を防止し、逆に、ケーブルを通って供給される情報をＲＦ場が乱さないよう、厳重に遮蔽される。遮蔽の結果、これらのケーブルはかなりかさばったものとなり、ＭＲ区画内の障害物として表わされる。これは、車椅子、車輪付き担架、歩行器からの、又は他の動きの制限された患者による、他のＭＲ装置へのアクセスを制限するだけでなく、操作者や装置の周りの他の補助スタッフの移動可能性を低下させうる。」　 
　
（２）「【０００７】　
本発明の１つの面によれば、磁気共鳴装置が提供される。
　
（３）「【００１５】　
図１を参照するに、
撮像領域１６を垂直に通る一般的にＢ
0
で示される時間的に一定の主磁場を発生するオープン主磁石組立体１０は、磁気共鳴区画Ａ内に配置される。
対象１２は、磁石組立体１０の撮像領域１６中に配置された患者支持台上に載せられる。
【００１６】　
シーケンス制御系Ｂは、磁気共鳴撮像シーケンスを発生する。
ＲＦパルス制御器２６は、選択されたシーケンスに従ってＲＦパルスパターンを発生する。
【００１７】　
例えば送受信器３０といった第一のワイヤレスインタフェースの少なくとも１つのアンテナ２８は、撮像区画Ａ中に配置される。
ワイヤレスインタフェース３０は、傾斜波形及びＲＦパルスパターンを高周波搬送波上へ（望ましくはディジタル式に）符号化し、第二の送受信器３２へ送信する。
第二の送受信器はまた、ＲＦパルスパターン情報を復号化し、ＲＦパルス情報をＲＦ遮蔽された送信器４０へ供給する。
【００１８】　
一つの実施例では、送信器は、ＲＦコイルに直接接続される。
ＲＦコイル４６は、ＲＦパルスを撮像領域１６中へと送信し、選択されたシーケンスに従って磁気共鳴を励起し、操作する。ＲＦ受信コイルは、ワイヤレスインタフェース３０へ直接、
送信された結果としての共鳴信号を受信する。
【００１９】　
望ましくは、スキャナは、全身（ホールボディー）ＲＦコイル４６
を含む。
【００２０】　
望ましい実施例では、第一の送受信器３０のアンテナ２８は、磁気共鳴区画Ａの内壁に取り付けられる。
第二の送受信器３２は、望ましくは、磁石組立体に隣接して取り付けられ、これを傾斜増幅器３４、（直接ワイヤの実施例では）送信器４２、及びＭＲ装置の他のシステムに接続ためのケーブルは出来る限り少なくされる。
　
（４）「【００２２】　
共鳴する双極子からの信号は、ＲＦコイル４６
によって検出され、前増幅（preamplify）される。検出された共鳴信号は、符号化され、患者側送受信器４４によって、
直接送受信器３０へ送信される。第一の送受信器３０は、共鳴信号を受信し、復号化し、共鳴信号を画像処理システムＣへ送る。受信器５０は、望ましくはディジタルであり、共鳴信号を復調する。復調された共鳴信号は、再構成プロセッサ５２によって撮像領域１６中の対象１２の画像表現へと再構成される。
ビデオプロセッサ５６は、見るのに必要とされる部分を抽出し、これらの部分は、ビデオモニタ、ＬＣＤディスプレイ、アクティブマトリクスモニタ等の人間が読み取り可能なディスプレイ５８上に表示される。
　
（５）【図１】　
「　
　　　　　　　　　　　　　　　　　　　　　　　　　　　　　　」　
　
（６）図１には、シーケンス制御系Ｂがシーケンス制御プロセッサ２０及びＲＦパルス制御器２６を備え、ＲＦパルス制御器２６が第一の送受信器３０に接続されていること、画像処理システムＣが受信器５０、再構成プロセッサ５２、ビデオプロセッサ５６及びディスプレイ５８を備え、受信器５０が第一の送受信器３０に接続されていることが示されている。　
　
（７）図１の記載において、撮像領域１６の上方に記載されている横長の部材に引き出し線を介して付された符号「４４」は、撮像領域１６の下方に記載されている同様の横長の部材には引き出し線を介して符号「４６」が付されていること、及び、撮像領域１６の右側に記載されている縦長の部材に引き出し線を介して符号「４４」が付されていることから、「４６」の誤記と認める。よって、図１には、第四の送受信器４４とＲＦコイル４６とが離れて配置され、第四の送受信器４４が撮像領域１６の上下に配置された二つのＲＦコイル４６と接続されていることが示されている。　
　
２　引用例１に記載された発明の認定　
　
（１）上記摘記事項（３）における「・・・【００１７】・・・
第二の送受信器はまた、ＲＦパルスパターン情報を復号化し、ＲＦパルス情報をＲＦ遮蔽された送信器４０へ供給する。
一つの実施例では、送信器は、ＲＦコイルに直接接続される。
　一方、上記摘記事項（３）の「・・・【００１８】・・・
ＲＦ受信コイルは、ワイヤレスインタフェース３０へ直接、
送信された結果としての共鳴信号を受信する。
検出された共鳴信号は、符号化され、患者側送受信器４４によって、
直接送受信器３０へ送信される。
　よって、引用例１において、第三及び第四の送受信器４２、４４間における送受信は必須の構成要素ではなく、引用例１には、第三の送受信器４２を用いずに、送信器４０をＲＦコイルに直接接続してＲＦパルス情報を送信し、共鳴信号を第四の送受信器４４（患者側送受信器４４）によってワイヤレスインタフェース３０（送受信器３０）へ直接送信することも記載されているといえる。　
　
（２）これらの記載事項を含む引用例１全体の記載から、引用例１には、　
　
「　撮像領域１６を垂直に通る時間的に一定の主磁場を発生するオープン主磁石組立体１０は、磁気共鳴区画Ａ内に配置され、　
　撮像領域１６の上下に二つのＲＦコイル４６が配置され、　
　対象１２は、オープン主磁石組立体１０の撮像領域１６中に配置された患者支持台上に載せられ、　
　シーケンス制御系Ｂは、磁気共鳴撮像シーケンスを発生するものであり、シーケンス制御プロセッサ２０及びＲＦパルス制御器２６を備え、ＲＦパルス制御器２６は選択されたシーケンスに従ってＲＦパルスパターンを発生し、　
　ＲＦパルス制御器２６は第一の送受信器３０に接続され、　
　第一の送受信器３０のアンテナ２８は、磁気共鳴区画Ａの内壁に取り付けられ、　
　第一の送受信器３０は、ＲＦパルスパターンを高周波搬送波上へディジタル式に符号化し、第二の送受信器３２へ送信し、　
　第二の送受信器３２は、オープン主磁石組立体１０に隣接して取り付けられ、　
　第二の送受信器３２は、ＲＦパルスパターン情報を復号化し、ＲＦパルス情報をＲＦ遮蔽された送信器４０へ供給し、　
　送信器４０は、ＲＦコイル４６に直接接続され、　
　ＲＦコイル４６は、ＲＦパルスを撮像領域１６中へと送信し、選択されたシーケンスに従って磁気共鳴を励起し、　
　共鳴する双極子からの信号は、ＲＦコイル４６によって検出され、前増幅され、検出された共鳴信号は、符号化され、第四の送受信器４４によって、直接第一の送受信器３０へ送信され、　
　第一の送受信器３０は、共鳴信号を受信し、復号化し、共鳴信号を画像処理システムＣへ送り、　
　画像処理システムＣは受信器５０、再構成プロセッサ５２、ビデオプロセッサ５６及びディスプレイ５８を備え、受信器５０が第一の送受信器３０に接続されており、　
　受信器５０は、ディジタルであり、共鳴信号を復調し、　
　復調された共鳴信号は、再構成プロセッサ５２によって撮像領域１６中の対象１２の画像表現へと再構成され、　
　ビデオプロセッサ５６は、見るのに必要とされる部分を抽出し、これらの部分は、人間が読み取り可能なディスプレイ５８上に表示される、　
磁気共鳴装置。」　
　
の発明（以下「引用発明」という。）が記載されている。　
　
　
第４　本願発明と引用発明との対比　
　
１　対比　
　
　本願発明と引用発明とを対比する。　
　
（１）引用発明の「対象１２」は、「患者支持台上に載せられ」ることから、本願発明の「検査のための身体」に相当し、引用発明の「撮像領域１６」が本願発明の「検査ゾーン」に相当するから、引用発明における「対象１２」が載せられる「患者支持台」が「配置され」る「撮像領域１６」が、本願発明における「検査のための身体を受け入れる検査ゾーン」に相当する。　
　
（２）引用発明における「撮像領域１６を垂直に通る時間的に一定の主磁場を発生するオープン主磁石組立体１０」が、本願発明における「前記検査ゾーンにおける磁場を生成する磁場生成手段」に相当する。　
　
（３）引用発明の「共鳴する双極子からの信号」が本願発明の「前記検査ゾーンに生成されるスピン共鳴信号」に相当するから、引用発明における「共鳴する双極子からの信号」を「検出する」「ＲＦコイル４６」が、本願発明における「前記検査ゾーンに生成されるスピン共鳴信号を受信する受信機」に相当する。　
　
（４）引用発明の「ＲＦパルス」が本願発明の「測定パルス」に相当するから、引用発明における「ＲＦパルスを撮像領域１６中へと送信」する「ＲＦコイル４６」が、本願発明における「測定パルスを送信する送信機」に相当する。　
　
（５）引用発明において、「共鳴する双極子からの信号は、ＲＦコイル４６によって検出され、前増幅され、検出された共鳴信号は、符号化され、第四の送受信器４４によって、直接第一の送受信器３０へ送信され」ることから、引用発明の「ＲＦコイル４６」が、「検出」した「共鳴する双極子からの信号」を送信する機能を有する構造を備えていることは明らかである。　
　
（６）そして、引用発明の「ＲＦコイル４６」が備える「検出」した「共鳴する双極子からの信号」を送信する機能を有する構造が、本願発明における「前記スピン共鳴信号を送信する送信機」に相当する。　
　
（７）引用発明において、「共鳴する双極子からの信号は、ＲＦコイル４６によって検出され、前増幅され、検出された共鳴信号は、符号化され、第四の送受信器４４によって、直接第一の送受信器３０へ送信され」ることから、引用発明が、「ＲＦコイル４６」と「第四の送受信器４４」との間に、「ＲＦコイル４６」が「検出」して送信した「共鳴する双極子からの信号」を受信する機能を有する構造と、当該受信する機能を有する構造で受信した「検出された共鳴信号」を「符号化」する機能を有する構造とを備えていることは明らかである。　
　
（８）そして、引用発明が備える「ＲＦコイル４６」が「検出」して送信した「共鳴する双極子からの信号」を受信する機能を有する構造が、本願発明における「前記スピン共鳴信号を受信する受信機」に相当する。　
　
（９）また、本願発明の「アナログデジタル変換」は「符号化」の一つであり、「デジタル信号」は「符号化した信号」の一つであるから、引用発明が備える当該受信する機能を有する構造で受信した「検出された共鳴信号」を「符号化」する機能を有する構造と、本願発明における「前記受信されるスピン共鳴信号に基づき、デジタル信号を生成するアナログデジタル変換器」とは、「前記受信されるスピン共鳴信号に基づき、符号化された信号を生成する変換器」である点で共通する。　
　
（１０）引用発明における「符号化され」た「検出された共鳴信号」を「第一の送受信器３０」へ「送信」する「第四の送受信器４４」と、本願発明における「前記デジタル化された信号を前記信号処理ユニットに送信する送信機」とは、「前記符号化された信号を送信する送信機」である点で共通する。　
　
（１１）引用発明は、「第二の送受信器３２」が、「第一の送受信器３０」が「ＲＦパルスパターンを高周波搬送波上へディジタル式に符号化し」て送信した信号を受信して、「ＲＦパルスパターン情報を復号化」した信号は、ＲＦ遮蔽された送信器４０から直接ＲＦコイル４６に送信され、ＲＦコイル４６がＲＦパルスを撮像領域１６中へと送信するものであるから、引用発明の「第二の送受信器３２」は、「ＲＦパルスパターンを高周波搬送波上へディジタル式に符号化し」た信号を「ＲＦパルスパターン情報」に「復号化」して「ＲＦ遮蔽された送信器４０」に送信するために、デジタルアナログ変換器及びそれにより変換されたアナログ信号に基づき、ＲＦコイル４６（測定パルスを送信する送信機）に対する無線周波数信号を生成する生成器に相当する構造を備えているといえる。　
　してみれば、引用発明の「第二の送受信器３２」が備えるデジタルアナログ変換器により変換されたアナログ信号に基づき、ＲＦコイル４６（測定パルスを送信する送信機）に対する無線周波数信号を生成する生成器に相当する構造が、本願発明における「デジタル信号が」「デジタルアナログ変換器により変換されたアナログ信号に基づき、前記測定パルスを送信する送信機に対する無線周波数信号を生成する生成器」に相当する。　
　
（１２）引用発明における「シーケンス制御系Ｂ」、「画像処理システムＣ」及び「第一の送受信器３０」が、その機能及び構造に関して、本願発明における「信号処理ユニット」に相当する。　
　
（１３）上記（３）ないし（６）より、引用発明における「ＲＦコイル４６」が、その機能及び構造に関して、本願発明における「受信ユニット」に相当する。　
　
（１４）上記（７）ないし（１１）を踏まえ、引用発明において、引用発明が備える「ＲＦコイル４６」が「検出」して送信した「共鳴する双極子からの信号」を受信する機能を有する構造、引用発明が備える当該受信する機能を有する構造で受信した「検出された共鳴信号」を「符号化」する機能を有する構造、「符号化され」た「検出された共鳴信号」を「第一の送受信器３０」へ「送信」する「第四の送受信器４４」、「第二の送受信器３２」が備えるデジタルアナログ変換器により変換されたアナログ信号に基づき、ＲＦコイル４６（測定パルスを送信する送信機）に対する無線周波数信号を生成する生成器に相当する構造、及び「送信器４０」は、「ＲＦコイル４６」と「第一の送受信器３０」との間の信号伝達を行うものであるから、「インタフェースユニット」であるということができる。　
　してみれば、引用発明における「インタフェースユニット」に相当するものと本願発明における「インタフェースユニット」とは、その機能及び構造に関して、「前記スピン共鳴信号を受信する受信機と、前記受信されるスピン共鳴信号に基づき、符号化された信号を生成する変換器と、前記符号化された信号を前記信号処理ユニットに送信する送信機とを有し、更に、前記信号処理ユニットからのデジタル信号が前記インタフェースユニットが備えるデジタルアナログ変換器により変換されたアナログ信号に基づき、前記測定パルスを送信する送信機に対する無線周波数信号を生成する生成器を有する」点において共通する。　
　
（１５）引用発明における「ＲＦコイル４６」（「受信ユニット」）は、「撮像領域１６の上下に」「配置され」るから、その配置に関して、本願発明における「受信ユニット」と、「前記検査ゾーン内又は前記検査ゾーンの近傍に配置される」点において一致する。　
　
（１６）引用発明の「第二の送受信器３２」が「オープン主磁石組立体１０に隣接して取り付けられ」ることから、「インタフェースユニット」に相当するものを構成する他の要素も「オープン主磁石組立体１０に隣接して」配置されることは明らかであり、引用発明における「インタフェースユニット」に相当するものと本願発明における「インタフェースユニット」とは、その配置に関して、「前記検査ゾーン内又は前記検査ゾーンの近傍に配置され」る点において共通する。　
　
（１７）引用発明において、「信号処理ユニット」を構成する「第一の送受信器３０のアンテナ２８は、磁気共鳴区画Ａの内壁に取り付けられ」、「インタフェースユニット」を構成する「第二の送受信器３２は、オープン主磁石組立体１０に隣接して取り付けられ」ることから、引用発明における「信号処理ユニット」に相当するものと本願発明における「信号処理ユニット」とは、その配置に関して、「前記受信ユニット及び前記インタフェースユニットから離れた位置に配置される」点において一致する。　
　
（１８）引用発明の「磁気共鳴装置」は、「共鳴信号」を「再構成プロセッサ５２によって撮像領域１６中の対象１２の画像表現へと再構成」し、「人間が読み取り可能なディスプレイ５８上に表示さ」せるものであるから、イメージング行うものであり、本願発明の「磁気共鳴イメージングシステム」に相当する。　
　
２　一致点　
　
　よって、本願発明と引用発明とは、　
　
「　検査のための身体を受け入れる検査ゾーンと、　
　前記検査ゾーンにおける磁場を生成する磁場生成手段と、　
　前記検査ゾーン内又は前記検査ゾーンの近傍に配置される受信ユニットと、　
　前記検査ゾーン内又は前記検査ゾーンの近傍に配置されるインタフェースユニットと、　
　前記受信ユニット及び前記インタフェースユニットから離れた位置に配置される信号処理ユニットとを有し、　
　前記受信ユニットが、前記検査ゾーンに生成されるスピン共鳴信号を受信する受信機と、前記インタフェースユニットに前記スピン共鳴信号を送信する送信機と、測定パルスを送信する送信機とを有し、　
　前記インタフェースユニットが、前記スピン共鳴信号を受信する受信機と、前記受信されるスピン共鳴信号に基づき、符号化された信号を生成する変換器と、前記符号化された信号を前記信号処理ユニットに送信する送信機とを有し、　
　前記インタフェースユニットが更に、前記信号処理ユニットからのデジタル信号が前記インタフェースユニットが備えるデジタルアナログ変換器により変換されたアナログ信号に基づき、前記測定パルスを送信する送信機に対する無線周波数信号を生成する生成器を有する、磁気共鳴イメージングシステム。」　
　
の発明である点で一致し、次の２点で相違する。　
　
３　相違点　
　
（１）相違点１　
　本願発明においては、インタフェースユニットが、受信ユニットとは分離して配置され、１つの筐体内に納められているのに対し、引用発明においては、インタフェースユニットを構成する第四の送受信器４４及び符号化された信号を生成する変換器の配置が不明であるとともに、インタフェースユニットが１つの筐体内に納められているのかが不明である点。　
　
（２）相違点２　
　符号化された信号を生成する変換器と、前記符号化された信号を前記信号処理ユニットに送信する送信機とが、本願発明においては、デジタル信号を生成するアナログデジタル変換器と、前記デジタル化された信号を前記信号処理ユニットに送信する送信機であるのに対し、引用発明においては、そのような特定がない点。　
　
　
第５　当審の判断　
　
　上記各相違点について検討する。　
　
１　相違点１について　
　
（１）引用例１には、上記摘記事項（３）に記載したように「【００１７】・・・
ワイヤレスインタフェース３０は、傾斜波形及びＲＦパルスパターンを高周波搬送波上へ（望ましくはディジタル式に）符号化し、第二の送受信器３２へ送信する。
第二の送受信器はまた、ＲＦパルスパターン情報を復号化し、ＲＦパルス情報をＲＦ遮蔽された送信器４０へ供給する。
　引用発明においては、ＲＦコイル４６によって検出され共鳴する双極子からの信号をどこで符号化するかは明らかではないが、引用例１の上記【００１７】の記載は、符号化した信号を送信する第四の送受信器４４において符号化することを示唆しているといえる。　
　そして、引用発明において、ＲＦコイル４６によって検出され共鳴する双極子からの信号を第四の送受信器４４において符号化することに、格別の阻害要因も技術的困難性も見あたらない。　
　
（２）また、引用例１において、上記摘記事項（３）の「【００２０】・・・
第二の送受信器３２は、望ましくは、磁石組立体に隣接して取り付けられ、これを傾斜増幅器３４、（直接ワイヤの実施例では）送信器４２、及びＭＲ装置の他のシステムに接続ためのケーブルは出来る限り少なくされる。
　
（３）そして、ユニットを構成する要素を単一の筐体内に収納することは、常とう手段である。
　
（４）してみると、引用発明において、ＲＦコイル４６によって検出される共鳴する双極子からの信号を第四の送受信器４４において符号化すると共に、第四の送受信器４４とＲＦコイル４６とを分離して配置、すなわち、インタフェースユニットが受信ユニットとは分離して配置されるものとして単一の筐体内に収納し、上記相違点１に係る本願発明の発明特定事項を得ることは、当業者が容易に想到し得ることである。　
　
２　相違点２について　
　
　引用発明において、ＲＦコイル４６によって検出される共鳴する双極子からの信号がアナログ信号であることは技術常識であり、受信器５０は、ディジタルであることから、受信器５０が受信する信号はディジタルであり、ＲＦコイル４６と受信器５０との間でアナログデジタル変換が行われていることは明らかである。　
　そして、引用発明は、ＲＦコイル４６によって検出された共鳴信号を、符号化して、第四の送受信器４４によって、直接第一の送受信器３０へ送信するものである。　
　また、引用発明において、第一の送受信器３０から第二の送受信器３２へ送信される信号は、ディジタル式に符号化されている。　
　よって、引用発明において、ＲＦコイル４６によって検出された共鳴信号を符号化して送信する際、アナログデジタル変換を行ってディジタル化された信号を送信するようにすることは、引用例１に示唆されているといえ、格別の阻害要因も技術的困難性も見あたらない。　
　してみると、引用発明において、引用例１の上記示唆に基づき、ＲＦコイル４６によって検出された共鳴信号を符号化する手段としてアナログデジタル変換器を採用し、上記相違点２に係る本願発明の発明特定事項を得ることは、当業者が容易に想到し得ることである。　
　
　
　なお、請求人は上記平成２６年１０月８日提出の意見書（「第１　手続の経緯」参照）において、
「審判官殿は、引用文献１の図１に基づき、第四の送受信器４４とＲＦコイル４６とを分離して配置されることが示唆されていると認定されていますが、特許願書添付の図面は、当該発明の技術内容を説明する便宜のために描かれる（東京高裁平成８年（行ケ）第４２号）に過ぎないものであり、図面において離れて描かれているからという理由で分離配置が示唆されているとする当該認定には誤りがあると考えます。
　むしろ、ＲＦコイル４６上の第四の送信器４４（段落１８）との記載からは、分離配置とは逆の概念を示唆していると考えます。
　従って、第四の送受信器４４が本願請求項１に係るインタフェースユニットを構成するとする認定は成立しないと考えます。」（以下「請求人主張１」という。）
「　引用文献１における一つの実施例では、送信器は、ＲＦコイルに直接接続される。（段落１８）との記載は、図１の送信器４０が、第四の送受信器４４とＲＦコイル４６との間に配置可能であることを示すものであり、この場合でも、第三の送受信器４２と第四の送受信器４４との無線通信は維持されると考えます。　
　即ち、当該記載は、第三の送受信器４２と第四の送受信器４４との無線通信が必須の構成要件でないことを意味するものではありません。なぜなら、第三の送受信器４２と第四の送受信器４４との無線通信を採用しない（又は第三の送受信器４２を採用しない）とすれば、当該箇所は統合されて有線接続に移行することになり、引用文献１が解決しようとする課題（ＭＲ区画中のケーブルの問題）に逆行するからです。」（以下「請求人主張２」という。）
と主張する。　
　
　そこで、上記請求人主張１及び２について検討する。
　まず、請求人主張１について検討する。
　引用例１の段落番号【００１８】には、「図示の実施例では、送信器は、ＲＦコイル４６上の第四の送受信器４４と無線通信可能な第三の送受信器４２に接続される。」と記載されているものの、図示の実施例とは異なる実施例に基づいて認定した引用発明において、ＲＦコイル４６上に第四の送受信器４４を配置しなければならない技術的理由はなく、当該記載をもってして、上記１（２）の判断の阻害要因となるものではない。
　
　次に、請求人主張２について検討する。
　引用例１において、ＭＲ区画中のケーブルの問題は、第一の送受信器３０と第二の送受信器３２との間の通信、及び第四の送受信器４４と第一の送受信器３０との間の通信を無線通信とすることで大幅に改善されており、第二の送受信器３２と傾斜コイル３６との間の通信に無線通信を採用していないことから見て、第二の送受信器３２とＲＦコイル４６との間の通信に無線通信を採用しないことは、引用例１の課題を解決する上で、許容される範囲の事項であるといえる。
　
　よって、上記請求人主張１及び２は、いずれも採用することができない。
　
３　本願発明の奏する作用効果　
　
　そして、本願発明によってもたらされる効果は、引用発明から当業者が予測し得る程度のものである。　
　
４　まとめ　
　
　よって、本願発明は、引用発明に基いて当業者が容易に発明をすることができたものである。　
　
　
第６　むすび　
　
　以上のとおりであるから、本願発明は、特許法第２９条第２項の規定により特許を受けることができない。　
　
　したがって、その余の請求項に係る発明について論及するまでもなく、本願は拒絶すべきものである。　
　
　
　よって、結論のとおり審決する。